(57)【要約】【課題】例え残液量が少なくなる場合でも、液吐出時に容器本体が傾くおそれが少なく、安定した液供給が行える。【解決手段】操作部１２よりも下方であってかつ容器本体ショルダー部の上方に指係止用レバー１５が設けられる。操作部が操作者の指によって操作される際に、指係止用レバー１５には操作者の他の複数の指が係止される。指係止用レバーは、操作者の他の複数の指のうち少なくとも１本の指の腹部によって係止される第１の係止部１７と、操作者の他の複数の指のうち残りの指の背部によって係止される第２の係止部１８とを備える。これにより、指の腹部と背部双方によって、指係止用レバーに引張力と押圧力を同時に与えることができ、容器本体の残液量が少なくなる場合でも、指係止用レバーを介して容器本体の姿勢を制御することができる。【選択図】図１
2008087808.tif 000002
【特許請求の範囲】
【請求項１】
内部に液体が充填される容器本体と、
該容器本体の上方に設けられた操作部を操作されることにより容器本体内の液体をノズルから吐出させるポンプ機構と、
前記操作部よりも下方であってかつ前記容器本体ショルダー部の上方に設けられ、前記操作部が操作者の指によって操作される際に操作者の他の複数の指によって係止される指係止用レバーとを備える液体吐出容器であって、
前記指係止用レバーが、操作者の前記他の複数の指のうち少なくとも１本の指の腹部によって係止される第１の係止部と、操作者の他の複数の指のうち残りの指の背部によって係止される第２の係止部とを備えることを特徴とする液体吐出容器。
【請求項２】
前記指係止用レバーは、上側の平坦部と、下側の平坦部と、それら上側の平坦部及び下側の平坦部を連結する上下方向に湾曲された連結部とを備え、前記上側の平坦部の下面が前記第1の係止部とされ、前記下側の平坦部の上面が前記第２の係止部とされたことを特徴とする請求項１記載の液体吐出容器。
【請求項３】
前記指係止用レバーは、上方から見た場合、前記容器本体の中心部から半径方向外方へ延びて設けられ、前記容器本体の中心部に近い方に前記上側の平坦部が配置され、前記容器本体の中心部から遠い方に前記下側の平坦部が配置されていることを特徴とする請求項２記載の液体吐出容器。
【発明の詳細な説明】
【技術分野】
【０００１】
本発明は、液体吐出容器に関する。
【背景技術】
【０００２】
この種の液体吐出容器として、図３に示すように、片手で操作することを目的として内部に液体が充填される容器本体１と、この容器本体１の上方に設けられた操作部２を操作されることにより容器本体１内の液体をノズル３から吐出させるポンプ機構と、操作部２よりも下方であってかつ容器本体１よりも上方に設けられ、操作部２が操作者の指によって操作される際に操作者の他の指によって係止される指係止用レバー５とを備えるものが知られている（例えば、特許文献１参照）。
【特許文献１】特開平９−２４９２４８号公報
【発明の開示】
【発明が解決しようとする課題】
【０００３】
前述した従来の液体吐出容器によれば、操作者が操作部２を例えば親指Ｓａで押圧操作する際に、人差し指Ｓｂや中指Ｓｃ等他の指を指係止用レバー５に係止させることによって、操作者の手がぶれるのを防止でき、操作部２に対する操作が容易になる利点が得られる。
一方、前述した従来の液体吐出容器にあっては、容器本体１の残液量が少なくなるとき、指係止用レバー５から反力をとる際に指係止用レバー５に係止させている指による引張力Ｆａが強くなりすぎると、容器本体１に作用する力のバランスがくずれて、図中２点鎖線で示すように容器本体１が傾いてしまう問題があった。
【０００４】
本発明は、前記事情に鑑みてなされたもので、例え残液量が少なくなる場合でも、液吐出時に容器本体が傾くおそれが少なく、安定した液供給が行える液体吐出容器を提供することを目的とする。
【課題を解決するための手段】
【０００５】
本発明の液体吐出容器は、内部に液体が充填される容器本体と、該容器本体の上方に設けられた操作部を操作されることにより容器本体内の液体をノズルから吐出させるポンプ機構と、前記操作部よりも下方であってかつ前記容器本体ショルダー部の上方に設けられ、前記操作部が操作者の指によって操作される際に操作者の他の複数の指によって係止される指係止用レバーとを備える液体吐出容器であって、前記指係止用レバーが、操作者の前記他の複数の指のうち少なくとも１本の指の腹部によって係止される第１の係止部と、操作者の他の複数の指のうち残りの指の背部によって係止される第２の係止部とを備えることを特徴とする。
【０００６】
前記液体吐出容器によれば、前記指係止用レバーに第１の係止部と第２の係止部を備え、それら係止部のうち第１の係止部に操作者の指の腹部を係止させ、第２の係止部に操作者の指の背部を係止させる。そして、指の腹部と背部双方によって、指係止用レバーに引張力と押圧力を同時に与えることができる。これにより、容器本体の残液量が少なくなる場合でも、指係止用レバーを介して容器本体の姿勢を制御することができ、もって容器本体が傾くのを防止できる。
【０００７】
前記液体吐出容器では、前記指係止用レバーは、上側の平坦部と、下側の平坦部と、それら上側の平坦部及び下側の平坦部を連結する上下方向に湾曲された連結部とを備え、前記上側の平坦部の下面が前記第1の係止部とされ、前記下側の平坦部の上面が前記第２の係止部とされたことが好ましい。
これにより、指係止用レバーを上側の平坦部、下側の平坦部および連結部の３部分によって構成することができ、指係止レバーの構成の簡素化を図ることができる。
【０００８】
前記液体吐出容器では、前記指係止用レバーは、上方から見た場合、前記容器本体の中心部から半径方向外方へ延びて設けられ、前記容器本体の中心部に近い方に前記上側の平坦部が配置され、前記容器本体から遠い方に前記下側の平坦部が配置されていることが好ましい。
これにより、操作者が例えば親指で操作部を操作する際に、親指に近い人差し指や中指で、上側の平坦部の第１の係止部を係止し、親指に遠い小指や薬指で、下側の平坦部の第２の係止部を係止することができ、指に無理な動きを強いることなく、手の自然な形（把持形状）で、指係止用レバーに指を係止させつつ操作部を操作することができる。
【発明の効果】
【０００９】
本発明の液体吐出容器によれば、液体吐出容器を持ち上げて使用する場合でも、第１の係止部に操作者の指の腹部を係止させ、第２の係止部に操作者の指の背部を係止させることで、指の腹部と背部双方によって、指係止用レバーに引張力と押圧力を同時に与えることができ、これにより、容器本体の残液量が少なくなる場合でも、指係止用レバーを介して容器本体の姿勢を制御することができ、これにより操作性の向上を図ることができる。
また、液体吐出容器を台等の上に載置して使用する場合には、従来の容器と同様に、操作部を直接押下げて使用することができる。
【発明を実施するための最良の形態】
【００１０】
以下、本発明の実施形態について説明する。
図１は、本発明の実施形態を示す液体吐出容器の一部断面図である。
ここで示す液体吐出容器１０は、内部に液体が充填される容器本体１１と、この容器本体１１の上方に設けられた操作部１２を操作されることにより容器本体１１内の液体をノズル１３から吐出させるポンプ機構と、操作部１２よりも下方であってかつ容器本体のショルダー部１１ａの上方に設けられ、操作部１２が操作者の指によって操作される際に操作者の他の複数の指によって係止される指係止用レバー１５とを備える。
【００１１】
指係止用レバー１５は、図２にも示すように、容器本体１１の口部に取り付けられた装着キャップ１４の上部から上方へ突出するように一体成形された円筒部１６に一体的に形成されている。指係止レバー１５は、操作者が操作部１２を例えば親指Ｓａによって押圧操作される際に、他の複数の指のうち少なくとも１本の指、例えば人差し指Ｓｂおよび中指Ｓｃの腹部によって係止される第１の係止部１７と、操作者の他の複数の指のうち残りの指例えば薬指Ｓｄの背部によって係止される第２の係止部１８とを備える。
【００１２】
指係止用レバー１５は、上方から見た場合、容器本体１１の中心部近傍から半径方向外方であって、前記ノズル１３とは逆方向へ延びて設けられている。また、指係止用レバー１５は、容器本体１１の中心部に近い上側の平坦部２０と、この上側の平坦部２０から下方に向けて湾曲された連結部２１と、連結部２１の下端から側方（容器本体の外方）へ延びるよう湾曲された下側の平坦部２２とを備え、全体として側面視大略Ｚ字状に形成されている。そして、上側の平坦部２０の下面は前記第１の係止部１７とされ、下側の平坦部２２の上面が第２の係止部１８とされている。
【００１３】
また、第１の係止部１７が人差し指Ｓｂと中指Ｓｃの腹部によって係止される様に、２本の指の腹部によって係止される長さに設定され、また、第２の係止部が、薬指Ｓｄの背によって係止される様に、１本の指の背部によって係止される長さに設定されていることが好ましい。なお、それら第１、第２の係止部１７，１８の長さは少なくとも１本の指が配置される長さであればよく、それ以上の長さに設定されてもよい。例えば、第１の係止部１７の長さは３本の指の腹部によって係止される長さに設定されていてもよく、また、第２の係止部１８は、２本の指の背部によって係止される長さに設定されていてもよい。
ここで、第１の係止部１７と第２の係止部１８の間隔ｔは、指の直径程度に設定されるのが好ましい。図２に示すように、それらの係止部１７，１８に指を係止させたときに、複数の指Ｓｂ、Ｓｃ、Ｓｄがほぼ一列に並び、良好な操作性が得られるからである。
また、指係止用レバー１５は、基端側から先端側に向けて漸次厚さが薄くなるように形成しても良い。
【００１４】
前記円筒部１６の内側には、装着キャップ１４から上方に突出されたステムに嵌着されるポンプヘッド２５が配置され、その内部に液通路２４が形成されている。また、ポンプヘッド２５の上端部側方から径方向外方にノズル１３が延設されている。
ポンプ機構は、一般的な構成（公知）のものが採用でき、例えば液通路２４中にメッシュからなる発泡部材を配置させた、所謂、泡噴出用ポンプ等が好適に使用される。そして、前記操作部１２によってポンプヘッド２５の上端面が押圧されると内容液が液通路２４を通ってノズル１３から吐出される。
つまり、操作部１２が下方へ押圧されるごとに、容器本体１０内の液を一定量ずつ吐出できるようになっている。
【００１５】
前記円筒部１６の上部は、前記指係止用レバー１５とは逆方向つまりノズル１３側に張り出しており、この張出部１６ａには、ノズル１３の下側の位置で、前記操作部１２を構成する操作用レバー２６の基端側がピン２７を介して回転可能に連結されている。操作用レバーの下部中央には、この操作用レバー２６が押圧操作されるとき、前記ポンプヘッド２５の上端面を押圧操作する突起部２６ａが形成されている。
【００１６】
前記構成の液体吐出容器１０の作用について説明する。
例えば、片手で持ち上げた液体吐出容器１０から液を吐出する場合には、図に示すように、操作者は、操作用レバー２６の先端上部に親指Ｓａの腹部を係止させ、指係止用レバー１５の第１の係止部１７に人差し指Ｓｂと中指のＳｃの腹部をそれぞれ係止させ、第２の係止部１８に薬指の指の背部を係止させる。この状態で、親指の腹部で操作用レバー２６の先端上部を下方へ押圧する。または、もう一方の手で操作用レバー２６の先端上部を下方へ押圧してもよい。
【００１７】
これにより、操作用レバー２６の突起部２６ａがポンプヘッド２５の上端面を下方へ押圧し、内容液が液通路２４を通ってノズル１３から吐出される。
【００１８】
ここで、容器本体の残液量が少なくなった場合には、前記図３で説明したように、容器本体に作用する力のバランスがくずれて容器本体が傾いてしまうことが懸念される。
つまり、容器本体１１側の重量が重い状態では、容器本体１１に対してポンプヘッド２５が下降するように操作されるが、容器本体側の重量が軽くなると、容器本体１１自体が引き上げられる挙動を示すことになる。これは、ポンプヘッド２５に対する上方付勢手段における付勢力と容器本体側重量（内容液重量）とのバランスが影響している。しかしながら、ここでは、第１の係止部１７に操作者の人差し指Ｓｂおよび中指Ｓｃの腹部を係止させ、第２の係止部１８に操作者の薬指Ｓｄの背部を係止させており、これら指の腹部と背部双方によって、図２に示すように指係止用レバー１５に引張力Ｆａと押圧力Ｆｂを同時に与えることができる。この結果、容器本体１の残液量が少なくなる場合でも、指係止用レバー１５を介して容器本体１の姿勢を制御することができ、もって容器本体１１が不用意に傾くのを防止することができる。
【００１９】
また、前記液体吐出容器１０では、指係止用レバー１５を、上側の平坦部２０と、下側の平坦部２２と、それら上側の平坦部２０及び下側の平坦部を連結する上下方向に湾曲された連結部２１との３部分によって構成しているので、指係止用レバー１５の構成の簡素化を図ることができ、もって、製作の容易化並びにコストの低減を図ることができる。
【００２０】
また、前記液体吐出容器１０では、指係止用レバー１５を、上方から見た場合、容器本体１１の中心部から半径方向外方へ延びて設け、容器本体１１に近い方に上側の平坦部２０を配置し、容器本体１１から遠い方に下側の平坦部２２を配置しており、これにより、操作者が例えば親指Ｓａで操作用レバー２６を操作する際に、親指Ｓａに近い人差し指Ｓｂや中指Ｓｃで、上側の平坦部の第１の係止部１７を係止し、親指に遠い薬指Ｓｄや小指で下側の平坦部の第２の係止部１８を係止することができ、指に無理な動きを強いることなく、手の自然な形（把持形状）で、指係止用レバー１５に指を係止させつつ操作用レバー２６を操作することができる。
【００２１】
また、前記液体吐出容器では、前記第１の係止部１７を２本の指の腹部によって係止される長さに設定し、第２の係止部１８を１本の指の背部によって係止される長さに設定しており、これにより、操作用レバー２６を操作する際その反力をとる第１の係止部１７に２本の指によって大きな力を加えることができ、また、バランスをとるだけであってそれほど大きな力を加える必要がない第２の係止部１８には指１本の背部のみを係止させることで、指係止用レバー１５が不要に長くなるのを防止することができる。
【００２２】
なお、本発明の構成は、前記実施形態に限定されるものではなく、本発明の趣旨を逸脱しない範囲において種々の変更を加えることが可能である。
例えば、前述した実施形態では、指係止用レバー１５を側面視大略Ｚ字状に形成しているが、これに限られることなく、例えば側面視Ω状あるいは逆Ω状に形成しても良く、要は、操作者の指の腹部によって係止される第１の係止部と、操作者の指の背部によって係止される第２の係止部とを備える構成であればよい。
また、前述した実施形態では、ポンプヘッドを押し下げる操作部１２として基端側がピン結合された操作用レバー２６を用いているが、これに限られることなく、ポンプヘッド２５を操作部として手や指で直接押圧する構成としてもよい。
【図面の簡単な説明】
【００２３】
【図１】本発明の実施形態を説明する液体吐出容器の一部を断面した側面図である。
【図２】図１の一部の拡大図である。
【図３】従来例を示す液体吐出容器の一部を断面した側面図である。
【符号の説明】
【００２４】
１０  液体吐出容器
１１  容器本体
１１ａ  ショルダー部
１２  操作部
１３  ノズル
１４  装着キャップ
１５  指係止用レバー
１７  第１の係止部
１８  第２の係止部
２０  上側の平坦部
２１  連結部
２２  下側の平坦部
【図１】
2008087808.tif 000003
【図２】
2008087808.tif 000004
【図３】
2008087808.tif 000005